(57)【特許請求の範囲】
【請求項１】
複数のレンズを保持する第１レンズ保持体と第２レンズ保持体とを備え、
前記第１レンズ保持体には、前記レンズの光軸方向において前記第２レンズ保持体に対する前記第１レンズ保持体の位置を決めるための平面状の第１当接面が前記光軸方向に直交するように形成され、
前記第２レンズ保持体には、前記光軸方向に直交するとともに前記第１当接面に当接可能な第２当接面が形成され、
前記レンズの周方向に配列されるとともに前記光軸方向の位置がずれている階段状の５個の前記第１当接面からなる第１当接部を前記第１レンズ保持体が備え、前記第１当接部を構成する５個の前記第１当接面のうちのいずれか１つに当接する１個の前記第２当接面からなる第２当接部を前記第２レンズ保持体が備え、
前記光軸方向の一方側を被写体側とし、前記光軸方向の他方側を反被写体側とするとともに、５個の前記第１当接面の中で最も被写体側に配置される前記第１当接面を第３当接面とし、５個の前記第１当接面の中で最も反被写体側に配置される前記第１当接面を第４当接面とし、５個の前記第１当接面の中で前記光軸方向において真ん中に配置される前記第１当接面を第５当接面とし、５個の前記第１当接面の中で前記光軸方向において前記第３当接面と前記第５当接面との間に配置される前記第１当接面を第６当接面とし、５個の前記第１当接面の中で前記光軸方向において前記第４当接面と前記第５当接面との間に配置される前記第１当接面を第７当接面とすると、
前記光軸方向における前記第５当接面の位置は、複数の前記レンズの設計基準値に基づいて設定され、
前記光軸方向における前記第３当接面の位置および前記第４当接面の位置は、複数の前記レンズの、前記設計基準値に対する公差の累積値に基づいて設定され、
前記光軸方向における前記第６当接面の位置および前記第７当接面の位置は、複数の前記レンズの、前記設計基準値に対する公差の二乗平均値に基づいて設定されていることを特徴とするレンズ鏡筒。
【請求項２】
前記第１当接部および前記第２当接部は、前記レンズの周方向において３箇所に形成されていることを特徴とする請求項１記載のレンズ鏡筒。
【請求項３】
前記第１レンズ保持体と前記第２レンズ保持体とを固定するためのネジを備え、
前記第１レンズ保持体には、前記ネジの軸部に形成されるオネジが係合可能なメネジが内周側に形成されるネジ穴が形成され、
前記第２レンズ保持体には、前記軸部が挿通される挿通穴が形成され、
前記ネジ穴は、前記光軸方向から見たときに、環状に形成される前記第１当接面に囲まれ、
前記挿通穴は、前記光軸方向から見たときに、環状に形成される前記第２当接面に囲まれていることを特徴とする請求項１または２記載のレンズ鏡筒。
【請求項４】
前記第１レンズ保持体と前記第２レンズ保持体とを固定するためのネジを備え、
前記第１レンズ保持体は、被写体側に配置され、
前記第２レンズ保持体は、反被写体側に配置されていることを特徴とする請求項１から３のいずれかに記載のレンズ鏡筒。
【請求項５】
前記第１レンズ保持体および前記第２レンズ保持体のいずれか一方には、前記レンズの周方向において前記第２レンズ保持体に対する前記第１レンズ保持体の位置を決めるための５個の第１位置決め部が形成され、
前記第１レンズ保持体および前記第２レンズ保持体のいずれか他方には、５個の前記第１位置決め部のうちのいずれか１つに係合して前記レンズの周方向における前記第１レンズ保持体と前記第２レンズ保持体との相対位置を決める第２位置決め部が形成され、
前記第１当接部を構成する５個の前記第１当接面のうちのいずれか１つと前記第２当接面とが当接しているときに、５個の前記第１位置決め部のうちのいずれか１つと前記第２位置決め部とが係合していることを特徴とする請求項１から４のいずれかに記載のレンズ鏡筒。
【請求項６】
前記第１レンズ保持体および前記第２レンズ保持体の少なくともいずれか一方には、前記第２レンズ保持体に対する前記第１レンズ保持体の、前記レンズの周方向における位置を確認するための目印が形成されていることを特徴とする請求項１から５のいずれかに記載のレンズ鏡筒。
【発明の詳細な説明】
【技術分野】
【０００１】
本発明は、撮像装置に取り付けられて使用されるレンズ鏡筒に関する。
【背景技術】
【０００２】
従来、一眼レフカメラ等に装着されて使用されるレンズ鏡筒が知られている（たとえば、特許文献１参照）。特許文献１に記載のレンズ鏡筒は、レンズ鏡筒をカメラ本体に取り付けるためのマウントと、マウントに固定される固定筒とを備えている。レンズの光軸方向における固定筒とマウントとの間には、固定筒とマウントとの光軸方向の間隔を調整するためのピントワッシャが配置されている。特許文献１に記載のレンズ鏡筒では、光学系の像面湾曲（像の中心部分のピントと像の周辺部分とのピントとのずれ）を補正するため、レンズ鏡筒の組立時に、ピントワッシャの厚さや枚数を変えて、固定筒の先に取付けられている光学系全体とマウントとの光軸方向の相対位置を調整している。
【先行技術文献】
【特許文献】
【０００３】
【特許文献１】特開２００４−７７９２５号公報
【発明の概要】
【発明が解決しようとする課題】
【０００４】
特許文献１に記載のレンズ鏡筒において光学系の像面湾曲を補正するためには、厚さの異なる複数種類のピントワッシャが必要になる。そのため、特許文献１に記載のレンズ鏡筒の場合、部品の管理が煩雑になる。また、特許文献１に記載のレンズ鏡筒では、ピントワッシャの厚さが薄くなったり、ピントワッシャの外径が小さくなったりすると、レンズ鏡筒の組立時にピントワッシャを取り扱いにくくなるため、レンズ鏡筒の組立作業が煩雑になる。
【０００５】
そこで、本発明の課題は、光学系の像面湾曲を補正することが可能であっても、部品の管理が容易になるとともに組立作業を簡素化することが可能なレンズ鏡筒を提供することにある。
【課題を解決するための手段】
【０００６】
上記の課題を解決するため、本発明のレンズ鏡筒は、複数のレンズを保持する第１レンズ保持体と第２レンズ保持体とを備え、第１レンズ保持体には、レンズの光軸方向において第２レンズ保持体に対する第１レンズ保持体の位置を決めるための平面状の第１当接面が光軸方向に直交するように形成され、第２レンズ保持体には、光軸方向に直交するとともに第１当接面に当接可能な第２当接面が形成され、レンズの周方向に配列されるとともに光軸方向の位置がずれている階段状の５個の第１当接面からなる第１当接部を第１レンズ保持体が備え、第１当接部を構成する５個の第１当接面のうちのいずれか１つに当接する１個の第２当接面からなる第２当接部を第２レンズ保持体が備え、光軸方向の一方側を被写体側とし、光軸方向の他方側を反被写体側とするとともに、５個の第１当接面の中で最も被写体側に配置される第１当接面を第３当接面とし、５個の第１当接面の中で最も反被写体側に配置される第１当接面を第４当接面とし、５個の第１当接面の中で光軸方向において真ん中に配置される第１当接面を第５当接面とし、５個の第１当接面の中で光軸方向において第３当接面と第５当接面との間に配置される第１当接面を第６当接面とし、５個の第１当接面の中で光軸方向において第４当接面と第５当接面との間に配置される第１当接面を第７当接面とすると、光軸方向における第５当接面の位置は、複数のレンズの設計基準値に基づいて設定され、光軸方向における第３当接面の位置および第４当接面の位置は、複数のレンズの、設計基準値に対する公差の累積値に基づいて設定され、光軸方向における第６当接面の位置および第７当接面の位置は、複数のレンズの、設計基準値に対する公差の二乗平均値に基づいて設定されていることを特徴とする。
【０００７】
本発明のレンズ鏡筒では、第１レンズ保持体が、レンズの周方向に配列されるとともに光軸方向の位置がずれている階段状の５個の第１当接面からなる第１当接部を備え、第２レンズ保持体が、第１当接部を構成する５個の第１当接面のうちのいずれか１つに当接する１個の第２当接面からなる第２当接部を備えている。
【０００８】
そのため、本発明では、第１レンズ保持体に形成される第１当接面と第２レンズ保持体に形成される第２当接面とを用いて、光軸方向における第１レンズ保持体と第２レンズ保持体との相対位置を調整して、光学系の像面湾曲を補正することが可能になる。また、本発明では、第１レンズ保持体に形成される第１当接面と第２レンズ保持体に形成される第２当接面とを用いて、光学系の像面湾曲を補正することが可能になるため、光軸方向における第１レンズ保持体と第２レンズ保持体との間に、光学系の像面湾曲を補正するためのワッシャを配置する必要がなくなり、このワッシャが不要になる。したがって、本発明では、レンズ鏡筒の部品の管理が容易になるとともにレンズ鏡筒の組立作業を簡素化することが可能になる。すなわち、本発明では、光学系の像面湾曲を補正することが可能であっても、レンズ鏡筒の部品の管理が容易になるとともにレンズ鏡筒の組立作業を簡素化することが可能になる。
また、本発明では、第２当接部は、１個の第２当接面によって構成されているため、第２当接部が複数の第２当接面によって構成されている場合と比較して、第２レンズ保持体の構成を簡素化することが可能になる。
また、本発明では、光軸方向における第５当接面の位置は、複数のレンズの設計基準値に基づいて設定され、光軸方向における第３当接面の位置および第４当接面の位置は、複数のレンズの、設計基準値に対する公差の累積値に基づいて設定され、光軸方向における第６当接面の位置および第７当接面の位置は、複数のレンズの、設計基準値に対する公差の二乗平均値に基づいて設定されている。そのため、レンズ鏡筒において光学系の像面湾曲を補正する必要がある場合でも、第６当接面および第７当接面と、第２当接面とを用いて、大半のレンズ鏡筒の、光学系の像面湾曲を補正することが可能になる。たとえば、８割程度のレンズ鏡筒の、光学系の像面湾曲を補正することが可能になる。また、全てのレンズが最大許容値で製作されるとともに最大許容値で製作された複数のレンズが第１レンズ保持体および第２レンズ保持体に取り付けられたとしても、また、全てのレンズが最小許容値で製作されるとともに最小許容値で製作された複数のレンズが第１レンズ保持体および第２レンズ保持体に取り付けられたとしても、第３当接面および第４当接面と、第２当接面とを用いて、光学系の像面湾曲を補正することが可能になる。
【０００９】
本発明において、第１当接部および第２当接部は、レンズの周方向において３箇所に形成されていることが好ましい。このように構成すると、第１当接面と第２当接面とが当接した状態で固定される第１レンズ保持体と第２レンズ保持体との固定状態を安定させることが可能になる。
【００１０】
本発明において、レンズ鏡筒は、第１レンズ保持体と第２レンズ保持体とを固定するためのネジを備え、第１レンズ保持体には、ネジの軸部に形成されるオネジが係合可能なメネジが内周側に形成されるネジ穴が形成され、第２レンズ保持体には、軸部が挿通される挿通穴が形成され、ネジ穴は、光軸方向から見たときに、環状に形成される第１当接面に囲まれ、挿通穴は、光軸方向から見たときに、環状に形成される第２当接面に囲まれていることが好ましい。このように構成すると、第１当接面と第２当接面とを確実に当接させた状態で、第１レンズ保持体と第２レンズ保持体とをネジによって固定することが可能になる。したがって、第１レンズ保持体と第２レンズ保持体との固定状態を安定させることが可能になる。
【００１２】
本発明において、レンズ鏡筒は、第１レンズ保持体と第２レンズ保持体とを固定するためのネジを備え、第１レンズ保持体は、被写体側に配置され、第２レンズ保持体は、反被写体側に配置されていることが好ましい。レンズ鏡筒の反被写体側には、たとえば、焦点調整機構等が配置されるが、このように構成すると、第２当接面が、５個の第１当接面のうちのいずれの第１当接面と当接しても、反被写体側に配置される第２レンズ保持体に対するネジの相対位置は変わらないため、レンズ鏡筒の反被写体側に配置される焦点調整機構等を、ネジと干渉しない位置に容易に配置することが可能になる。
【００１６】
本発明において、第１レンズ保持体および第２レンズ保持体のいずれか一方には、レンズの周方向において第２レンズ保持体に対する第１レンズ保持体の位置を決めるための５個の第１位置決め部が形成され、第１レンズ保持体および第２レンズ保持体のいずれか他方には、５個の第１位置決め部のうちのいずれか１つに係合してレンズの周方向における第１レンズ保持体と第２レンズ保持体との相対位置を決める第２位置決め部が形成され、第１当接部を構成する５個の第１当接面のうちのいずれか１つと第２当接面とが当接しているときに、５個の第１位置決め部のうちのいずれか１つと第２位置決め部とが係合していることが好ましい。このように構成すると、レンズの周方向に配列される５個の第１当接面が第１レンズ保持体に形成されていても、レンズの周方向において、第１レンズ保持体を第２レンズ保持体に対して位置決めすることが可能になる。
【００１７】
本発明において、第１レンズ保持体および第２レンズ保持体の少なくともいずれか一方には、第２レンズ保持体に対する第１レンズ保持体の、レンズの周方向における位置を確認するための目印が形成されていることが好ましい。このように構成すると、第１レンズ保持体と第２レンズ保持体との、レンズの周方向の相対位置を目視で確認することが可能になる。
【発明の効果】
【００１８】
以上のように、本発明のレンズ鏡筒では、光学系の像面湾曲を補正することが可能であっても、レンズ鏡筒の部品の管理が容易になるとともにレンズ鏡筒の組立作業を簡素化することが可能になる。
【図面の簡単な説明】
【００１９】
【図１】本発明の実施の形態にかかるレンズ鏡筒の断面図である。
【図２】図１に示す第２レンズ保持体の斜視図である。
【図３】図１に示す第１レンズ保持体の斜視図である。
【図４】図１のＥ部の構成を説明するための断面図である。
【図５】図１のＥ部の構成を説明するための断面図である。
【発明を実施するための形態】
【００２０】
以下、図面を参照しながら、本発明の実施の形態を説明する。
【００２１】
（レンズ鏡筒の構成）
図１は、本発明の実施の形態にかかるレンズ鏡筒１の断面図である。図２は、図１に示すレンズ保持体３の斜視図である。図３は、図１に示すレンズ保持体４の斜視図である。図４、図５は、図１のＥ部の構成を説明するための断面図である。
【００２２】
本形態のレンズ鏡筒１は、デジタルカメラ等の撮像装置（図示省略）に取り付けられて使用される。このレンズ鏡筒１は、レンズ２を保持する２個のレンズ保持体３、４を備えている。レンズ保持体３とレンズ保持体４とは、レンズ２の光軸Ｌの方向（光軸方向）で組み合わされている。また、レンズ保持体３とレンズ保持体４は、ネジ５によって互いに固定されている。すなわち、レンズ鏡筒１は、レンズ保持体３とレンズ保持体４とを固定するためのネジ５を備えている。
【００２３】
光軸方向の一方側を被写体側とし、光軸方向の他方側を反被写体側（結像側）とすると、レンズ保持体３は、反被写体側に配置され、レンズ保持体４は、被写体側に配置されている。本形態のレンズ保持体４は、第１レンズ保持体であり、レンズ保持体３は、第２レンズ保持体である。以下の説明では、被写体側（図１のＺ１方向側）を「前」側とし、反被写体側（図１のＺ２方向側）を「後（後ろ）」側とする。
【００２４】
レンズ保持体３は、複数のレンズ２を保持している。本形態のレンズ保持体３は、光軸方向で重なるように配置される４枚のレンズ２を保持している。このレンズ保持体３は、扁平な四角筒状に形成されるベース部３ａと、扁平な円筒状に形成される円筒部３ｂと、４枚のレンズ２を保持する略円筒状のレンズ保持部３ｃとを備えている。ベース部３ａ、円筒部３ｂおよびレンズ保持部３ｃは、四角筒状に形成されるベース部３ａの軸心と、円筒状に形成される円筒部３ｂの軸心と、略円筒状に形成されるレンズ保持部３ｃの軸心と、光軸Ｌとが一致するように形成されている。
【００２５】
光軸方向から見たときに、ベース部３ａの外形は、円筒部３ｂの外形よりも大きくなっている。円筒部３ｂは、ベース部３ａよりも前側へ突出している。ベース部３ａの前端と円筒部３ｂの後端とは、光軸方向（前後方向）に直交する平板状の前面部３ｄを介して繋がっている。光軸方向から見たときに、円筒部３ｂの外形は、レンズ保持部３ｃの外形よりも大きくなっている。レンズ保持部３ｃの前端側部分は、円筒部３ｂよりも前側へ突出し、レンズ保持部３ｃの後端側部分は、円筒部３ｂの内周側に配置されている。円筒部３ｂの前端とレンズ保持部３ｃの後端側部分とは、光軸方向に直交する平板状の前面部３ｅを介して繋がっている。
【００２６】
４枚のレンズ２は、レンズ保持部３ｃの内周面に固定されている。ベース部３ａの内周側には、フォーカスレンズ６が配置されている。また、ベース部３ａの内周側には、フォーカスレンズ６を光軸方向へ移動させる焦点調整機構（図示省略）の一部が配置されている。なお、レンズ鏡筒１が取り付けられる撮像装置がデジタルカメラである場合には、ベース部３ａの後ろ側に撮像素子（図示省略）が配置されている。
【００２７】
前面部３ｄの前面側には、光軸方向においてレンズ保持体３に対するレンズ保持体４の位置を決めるための平面状の当接面３ｆが形成されている。当接面３ｆは、光軸方向に直交する平面状に形成されている。本形態では、１個の当接面３ｆによって当接部３ｇが構成されている。当接面３ｆは、レンズ２の周方向において３箇所に形成されている。すなわち、当接部３ｇは、レンズ２の周方向において３箇所に形成されている。具体的には、当接部３ｇは、光軸方向から見たときに光軸Ｌに対して１２０°の等角度ピッチで３箇所に形成されている。
【００２８】
本形態では、前面部３ｄの前面から前側に向かってわずかに突出する円柱状の凸部３ｈ（図４、図５参照）の前端面が当接面３ｆとなっている。すなわち、前面部３ｄには、３個の凸部３ｈが形成されている。凸部３ｈが形成される箇所には、ネジ５の軸部５ａが挿通される挿通穴３ｊが形成されている。挿通穴３ｊは、凸部３ｈが形成される箇所を前後方向で貫通するように形成されており、当接面３ｆは、環状（具体的には、円環状）に形成されている。また、挿通穴３ｊは、光軸方向から見たときに、環状に形成される当接面３ｆに囲まれている。
【００２９】
また、前面部３ｄには、前側に向かって突出する１個の突起部３ｋが形成されている。突起部３ｋは、円柱状に形成されている。また、突起部３ｋは、レンズ２の周方向において、２個の当接部３ｇの間の中心位置に形成されている。前面部３ｄの前面からの突起部３ｋの突出量（前側への突出量）は、前面部３ｄの前面からの円筒部３ｂの突出量（前側への突出量）よりも小さくなっている。
【００３０】
レンズ保持体４は、全体として略円筒状に形成されており、略円筒状に形成されるレンズ保持体４の軸心と光軸Ｌとが一致するように配置されている。レンズ保持体４の前端側部分の外径は、レンズ保持体４の後端側部分の外径よりも小さくなっている。レンズ保持体４は、レンズ保持体３と同様に、複数のレンズ２を保持している。本形態のレンズ保持体４は、光軸方向で重なるように配置される３枚のレンズ２を保持している。また、本形態では、略円筒状に形成されるレンズ保持部材７の内周面に３枚のレンズ２が固定され、レンズ保持部材７が、レンズ保持体４の前端側部分の内周側に固定されている。すなわち、３枚のレンズ２は、レンズ保持部材７を介してレンズ保持体４に保持されている。
【００３１】
レンズ保持体４の後端には、レンズ２の径方向の外側へ広がる鍔部４ａが形成されている。鍔部４ａは、前後方向の厚さが厚い肉厚の円環状に形成されている。鍔部４ａの内周面は、円筒面となっている。鍔部４ａの内周側には、レンズ保持体３の円筒部３ｂが配置されている。鍔部４ａの内径は、円筒部３ｂの外径とほぼ等しくなっている。鍔部４ａの内周面と円筒部３ｂの外周面とによって、レンズ２の径方向において、レンズ保持体３に対してレンズ保持体４が位置決めされている。
【００３２】
鍔部４ａの後面（すなわち、レンズ保持体４の後端面）は、光軸方向に直交する円環状の平面となっている。鍔部４ａの後面側には、光軸方向においてレンズ保持体３に対するレンズ保持体４の位置を決めるための平面状の当接面４ｂ〜４ｆが形成されている。当接面４ｂ〜４ｆは、光軸方向に直交する平面状に形成されている。また、当接面４ｂ〜４ｆは、レンズ２の径方向において当接面３ｆと同じ位置に配置されている。
【００３３】
本形態では、レンズ２の周方向に配列されるとともに光軸方向の位置が互いにずれている階段状の５個の当接面４ｂ〜４ｆが、レンズ２の周方向において３箇所に形成されている。また、本形態では、５個の当接面４ｂ〜４ｆによって当接部４ｇが構成されており、当接部４ｇがレンズ２の周方向において３箇所に形成されている。具体的には、当接部４ｇは、光軸方向から見たときに光軸Ｌに対して１２０°の等角度ピッチで３箇所に形成されている。本形態では、鍔部４ａの後面から後ろ側に向かって階段状にわずかに突出する凸部４ｈ（図４、図５参照）の後面が当接面４ｂ〜４ｆとなっている。
【００３４】
当接面４ｂ〜４ｆは、レンズ２の周方向においてこの順番で配置されている。また、当接面４ｂ〜４ｆは、レンズ２の周方向において一定のピッチで形成されている。当接面４ｂは、５個の当接面４ｂ〜４ｆの中で最も後ろ側に配置されている。当接面４ｆは、５個の当接面４ｂ〜４ｆの中で最も前側に配置されている。当接面４ｄは、５個の当接面４ｂ〜４ｆの中で光軸方向の真ん中に配置されている。当接面４ｃは、光軸方向において当接面４ｂと当接面４ｄとの間に配置され、当接面４ｅは、光軸方向において当接面４ｆと当接面４ｄとの間に配置されている。
【００３５】
光軸方向（前後方向）における当接面４ｂと当接面４ｃとの距離と、光軸方向における当接面４ｃと当接面４ｄとの距離と、光軸方向における当接面４ｄと当接面４ｅとの距離と、光軸方向における当接面４ｅと当接面４ｆとの距離とは、等しくなっている。たとえば、光軸方向における当接面４ｂと当接面４ｃとの距離、光軸方向における当接面４ｃと当接面４ｄとの距離、光軸方向における当接面４ｄと当接面４ｅとの距離、および、光軸方向における当接面４ｅと当接面４ｆとの距離は、０．０２（ｍｍ）程度となっている。すなわち、当接部３ｇを構成する５個の当接面４ｂ〜４ｆの段差は、０．０２（ｍｍ）程度となっている。また、光軸方向における当接面４ｂと当接面４ｆとの距離Ｈ１（図４参照）は、前面部３ｄの前面からの凸部３ｈの突出量Ｈ２（図４参照）よりも小さくなっている。
【００３６】
鍔部４ａの凸部４ｈが形成される箇所には、ネジ穴４ｊが形成されている。具体的には、当接面４ｂ〜４ｆのそれぞれに対応する位置にネジ穴４ｊが形成されており、鍔部４ａには、５個のネジ穴４ｊが３箇所に形成されている。ネジ穴４ｊの内周側には、ネジ５の軸部５ａに形成されるオネジが係合可能なメネジが形成されている。ネジ穴４ｊは、当接面４ｂ〜４ｆのそれぞれの略中心から前側に向かって窪むように形成されており、当接面４ｂ〜４ｆのそれぞれは、環状（具体的には、略円環状）に形成されている。また、ネジ穴４ｊは、光軸方向から見たときに、環状に形成される当接面４ｂ〜４ｆのそれぞれに囲まれている。
【００３７】
また、鍔部４ａには、鍔部４ａの後面から前側に向かって窪む５個の凹部４ｋが形成されている。５個の凹部４ｋは、レンズ２の周方向において、２個の当接部４ｇの間に形成されている。また、５個の凹部４ｋは、レンズ２の径方向においてレンズ保持体３の突起部３ｋと同じ位置に配置されており、凹部４ｋには、突起部３ｋが挿入可能となっている。５個の凹部４ｋは、レンズ２の周方向に配列されている。また、５個の凹部４ｋは、レンズ２の周方向において一定のピッチで形成されている。具体的には、５個の凹部４ｋは、１個の当接部４ｇを構成する５個の当接面４ｂ〜４ｆの、レンズ２の周方向のピッチと同じピッチで形成されている。
【００３８】
鍔部４ａの外周面には、レンズ保持体３に対するレンズ保持体４の、レンズ２の周方向の位置を確認するための目印４ｐが形成されている（図３参照）。目印４ｐは、たとえば、鍔部４ａの外周面の後端から前側へ直線状に伸びるように形成されている。また、目印４ｐは、５個の凹部４ｋのうちの、レンズ２の周方向の真ん中に配置される凹部４ｋと、レンズ２の周方向において同じ位置に形成されている。
【００３９】
レンズ保持体３とレンズ保持体４とは、当接部４ｇを構成する５個の当接面４ｂ〜４ｆのうちのいずれか１つと当接面３ｆとが当接している状態で、後ろ側から挿通穴３ｊに挿通されるネジ５によって固定されている。すなわち、レンズ保持体３とレンズ保持体４とは、５個の当接面４ｂ〜４ｆのうちのいずれか１つと当接面３ｆとが３箇所において当接している状態で、３個のネジ５によって固定されている。
【００４０】
本形態では、５個の当接面４ｂ〜４ｆのうちのいずれか１つと当接面３ｆとが当接することで、光軸方向において、レンズ保持体４は、レンズ保持体３に対して位置決めされている。本形態の当接面４ｂ〜４ｆは、光軸方向においてレンズ保持体３に対するレンズ保持体４の位置を決めるための第１当接面であり、当接面３ｆは、当接面４ｂ〜４ｆに当接可能な第２当接面である。また、本形態の当接部４ｇは、５個の第１当接面（当接面４ｂ〜４ｆ）からなる第１当接部であり、当接部３ｇは、当接部４ｇを構成する５個の第１当接面（当接面４ｂ〜４ｆ）のうちのいずれか１つに当接する１個の第２当接面（当接面３ｆ）からなる第２当接部である。また、本形態の当接面４ｆは、第３当接面であり、当接面４ｂは、第４当接面であり、当接面４ｄは、第５当接面であり、当接面４ｅは、第６当接面であり、当接面４ｃは、第７当接面である。
【００４１】
レンズ保持体３とレンズ保持体４とが固定されているときには、５個の凹部４ｋのうちのいずれか１つに突起部３ｋが挿入されており、突起部３ｋと、突起部３ｋが挿入される凹部４ｋとによって、レンズ２の周方向において、レンズ保持体４は、レンズ保持体３に対して位置決めされている。すなわち、当接部４ｇを構成する５個の当接面４ｂ〜４ｆのうちのいずれか１つと当接面３ｆとが当接しているときには、５個の凹部４ｋのうちのいずれか１つと突起部３ｋとが係合しており、レンズ２の周方向において、レンズ保持体４は、レンズ保持体３に対して位置決めされている。本形態の凹部４ｋは、レンズ２の周方向においてレンズ保持体３に対するレンズ保持体４の位置を決めるための第１位置決め部であり、突起部３ｋは、５個の凹部４ｋのうちのいずれか１つに係合してレンズ２の周方向におけるレンズ保持体３とレンズ保持体４との相対位置を決める第２位置決め部である。
【００４２】
上述のように、５個の当接面４ｂ〜４ｆは、階段状に形成されており、当接面４ｂ〜４ｆのそれぞれの位置は、光軸方向において互いにずれている。本形態では、光軸方向における当接面４ｄの位置は、レンズ鏡筒１が有する７枚のレンズ２の設計基準値に基づいて設定されている。具体的には、光軸方向における当接面４ｄの位置は、設計基準値通りに製作された７枚のレンズ２が取り付けられたレンズ保持体３、４が、当接面４ｄと当接面３ｆとが当接している状態で互いに固定されたときにレンズ鏡筒１の光学系の像面湾曲が生じない位置となっている。
【００４３】
また、光軸方向における当接面４ｂ、４ｆの位置は、７枚のレンズ２の、設計基準値に対する公差の累積値（累積公差）に基づいて設定されている。たとえば、光軸方向における当接面４ｂの位置は、７枚のレンズ２の全てが最大許容値（設計基準値にプラス側の許容差を加えた値）で製作されるとともに最大許容値で製作された７枚のレンズ２が取り付けられたレンズ保持体３、４が、当接面４ｂと当接面３ｆとが当接している状態で互いに固定されたときにレンズ鏡筒１の光学系の像面湾曲が生じない位置となっている。また、たとえば、光軸方向における当接面４ｆの位置は、７枚のレンズ２の全てが最小許容値（設計基準値からマイナス側の許容差を引いた値）で製作されるとともに最小許容値で製作された７枚のレンズ２が取り付けられたレンズ保持体３、４が、当接面４ｆと当接面３ｆとが当接している状態で互いに固定されたときにレンズ鏡筒１の光学系の像面湾曲が生じない位置となっている。
【００４４】
あるいは、たとえば、光軸方向における当接面４ｂの位置は、７枚のレンズ２の全てが最大許容値で製作されるとともに最大許容値で製作された７枚のレンズ２が取り付けられたレンズ保持体３、４が、当接面４ｂと当接面３ｆとが当接している状態で互いに固定されたときにレンズ鏡筒１の光学系の像面湾曲量（像面湾曲の度合い）が所定の基準範囲内に収まる位置となっており、光軸方向における当接面４ｆの位置は、７枚のレンズ２の全てが最小許容値で製作されるとともに最小許容値で製作された７枚のレンズ２が取り付けられたレンズ保持体３、４が、当接面４ｆと当接面３ｆとが当接している状態で互いに固定されたときにレンズ鏡筒１の光学系の像面湾曲量が所定の基準範囲内に収まる位置となっている。
【００４５】
さらに、光軸方向における当接面４ｃ、４ｅの位置は、７枚のレンズ２の、設計基準値に対する公差の二乗平均値（二乗平均平方根）に基づいて設定されている。たとえば、光軸方向における当接面４ｃ、４ｅの位置は、７枚のレンズ２をレンズ保持体３、４に取り付けたときの７枚のレンズ２のトータルの設計基準値からのずれ量が最大許容値（または最小許容値）の二乗平均値となるように７枚のレンズ２が製作され、かつ、取り付けられたレンズ保持体３、４が、当接面４ｃ、４ｅと当接面３ｆとが当接している状態で互いに固定されたときにレンズ鏡筒１の光学系の像面湾曲が生じない位置となっている。
【００４６】
あるいは、たとえば、光軸方向における当接面４ｃ、４ｅの位置は、７枚のレンズ２をレンズ保持体３、４に取り付けたときの設計基準値からのずれ量が最大許容値（または最小許容値）の二乗平均値となるように７枚のレンズ２が製作され、かつ、取り付けられたレンズ保持体３、４が、当接面４ｃ、４ｅと当接面３ｆとが当接している状態で互いに固定されたときにレンズ鏡筒１の光学系の像面湾曲量が所定の基準範囲内に収まる位置となっている。
【００４７】
なお、レンズ２がたとえば、球面レンズである場合、光軸方向における当接面４ｂ、４ｃ、４ｅ、４ｆの位置を設定する際に考慮されるのは、レンズ２の厚さの公差、レンズ２の曲率の公差およびレンズ２の表面の曲率中心と裏面の曲率中心とのずれの公差である。
【００４８】
以上のように構成されたレンズ鏡筒１の組立時には、たとえば、４枚のレンズ２が取り付けられたレンズ保持体３の当接面３ｆと、３枚のレンズ２が取り付けられたレンズ保持体４の当接面４ｄとを当接させた状態で（図４参照）、レンズ保持体３とレンズ保持体４とを仮固定して、レンズ鏡筒１の光学系の像面湾曲量を測定する。測定された像面湾曲量が基準範囲内にあれば、そのまま、レンズ保持体３とレンズ保持体４とを固定する。一方、測定された像面湾曲量が基準範囲から外れている場合には、像面湾曲量が基準範囲内に入るように、像面湾曲量に応じて、図５（Ａ）〜（Ｄ）に示すように、当接面４ｂ、４ｃ、４ｅ、４ｆのいずれか１つと当接面３ｆとを当接させた後、レンズ保持体３とレンズ保持体４とを固定する。すなわち、レンズ鏡筒１の光学系の像面湾曲を補正した後、レンズ保持体３とレンズ保持体４とを固定する。
【００４９】
なお、当接面３ｆと当接面４ｄとが当接している状態から、当接面４ｂ、４ｃ、４ｅ、４ｆのいずれか１つと当接面３ｆとが当接している状態にするときに、レンズ保持体４の鍔部４ａの後端側部分をレンズ保持体３の円筒部３ｂの前端側部分に嵌め込んだ状態で、レンズ保持体４をレンズ保持体３に対してレンズ２の周方向へ回す。上述のように、鍔部４ａの内径は、円筒部３ｂの外径とほぼ等しくなっているため、このときには、レンズ保持体４は、円筒部３ｂの外周面によって、レンズ２に周方向へ案内される。
【００５０】
（本形態の主な効果）
以上説明したように、本形態では、光軸方向において互いにずれている当接面４ｂ〜４ｆがレンズ保持体４に形成され、レンズ保持体３に当接面３ｆが形成されている。そのため、本形態では、当接面４ｂ〜４ｆと当接面３ｆとを用いて、光軸方向におけるレンズ保持体３とレンズ保持体４との相対位置を調整して、レンズ鏡筒１の光学系の像面湾曲を補正することが可能になる。したがって、本形態では、レンズ鏡筒１の光学系の像面湾曲を補正するために光軸方向におけるレンズ保持体３とレンズ保持体４との間にワッシャを配置する必要がなく、このワッシャが不要になる。その結果、本形態では、レンズ鏡筒１の部品の管理が容易になるとともにレンズ鏡筒１の組立作業を簡素化することが可能になる。すなわち、本形態では、レンズ鏡筒１の光学系の像面湾曲を補正することが可能であっても、レンズ鏡筒１の部品の管理が容易になるとともにレンズ鏡筒１の組立作業を簡素化することが可能になる。
【００５１】
本形態では、光軸方向における当接面４ｃ、４ｅの位置は、７枚のレンズ２の、設計基準値に対する公差の二乗平均値に基づいて設定されている。そのため、本形態では、レンズ鏡筒１の光学系の像面湾曲を補正する必要がある場合でも、当接面４ｃ、４ｅと当接面３ｆとを用いて、大半のレンズ鏡筒１の、光学系の像面湾曲を補正することが可能になる。また、本形態では、光軸方向における当接面４ｂ、４ｆの位置が７枚のレンズ２の、設計基準値に対する公差の累積値に基づいて設定されているため、全てのレンズ２が最大許容値で製作されるとともに最大許容値で製作された７枚のレンズ２がレンズ保持体３、４に取り付けられたとしても、また、全てのレンズ２が最小許容値で製作されるとともに最小許容値で製作された７枚のレンズ２がレンズ保持体３、４に取り付けられたとしても、当接面４ｂ、４ｆと当接面３ｆとを用いて、レンズ鏡筒１の光学系の像面湾曲を補正することが可能になる。
【００５２】
本形態では、当接面４ｂ〜４ｆのピッチと同じピッチでレンズ２の周方向に配列される５個の凹部４ｋがレンズ保持体４に形成されている。また、本形態では、レンズ保持体３とレンズ保持体４とが固定されているときに、５個の凹部４ｋのうちのいずれか１つに突起部３ｋが挿入されており、突起部３ｋと、突起部３ｋが挿入される凹部４ｋとによって、レンズ２の周方向において、レンズ保持体４は、レンズ保持体３に対して位置決めされている。そのため、本形態では、当接面４ｂ〜４ｆのうちのいずれの当接面４ｂ〜４ｆと当接面３ｆとが当接していても、レンズ２の周方向において、レンズ保持体４をレンズ保持体３に対して位置決めすることが可能になる。
【００５３】
本形態では、光軸方向において互いにずれている当接面４ｂ〜４ｆがレンズ保持体４に形成され、当接面４ｂ〜４ｆのいずれか１つに当接する当接面３ｆがレンズ保持体３に形成されている。そのため、本形態では、当接面３ｆが、当接面４ｂ〜４ｆのうちのいずれの当接面４ｂ〜４ｆと当接しても、レンズ保持体３に対するネジ５の相対位置が変わらない。したがって、本形態では、ベース部３ａの内周側に配置される焦点調整機構等を、ネジ５と干渉しない位置に容易に配置することが可能になる。
【００５４】
本形態では、鍔部４ａの外周面に、レンズ保持体３に対するレンズ保持体４の、レンズ２の周方向の位置を確認するための目印４ｐが形成されている。そのため、本形態では、レンズ保持体４が略円筒状に形成されていても、レンズ保持体３に対するレンズ保持体４の、レンズ２の周方向の位置を目視で確認することが可能になる。
【００５５】
本形態では、光軸方向から見たときに、ネジ穴４ｊは、環状に形成される当接面４ｂ〜４ｆのそれぞれに囲まれ、挿通穴３ｊは、環状に形成される当接面３ｆに囲まれている。そのため、本形態では、当接面４ｂ〜４ｆのいずれか１つと当接面３ｆとを確実に当接させた状態で、ネジ５によってレンズ保持体３とレンズ保持体４とを固定することが可能になる。したがって、本形態では、レンズ保持体３とレンズ保持体４との固定状態を安定させることが可能になる。また、本形態では、当接部３ｇ、４ｇがレンズ２の周方向において３箇所に形成されているため、当接面４ｂ〜４ｆのいずれか１つと当接面３ｆとが当接した状態で固定されるレンズ保持体３とレンズ保持体４との固定状態をより安定させることが可能になる。
【００５６】
（他の実施の形態）
上述した形態では、レンズ保持体４の当接部４ｇは、５個の当接面４ｂ〜４ｆによって構成されているが、当接部４ｇは、３個の当接面４ｃ〜４ｅによって構成されても良い。この場合であっても、当接面４ｃ、４ｅと当接面３ｆとを用いて、大半のレンズ鏡筒１の、光学系の像面湾曲を補正することが可能になる。また、当接部４ｇは、２個の当接面によって構成されても良いし、６個以上の当接面によって構成されても良い。
【００５７】
上述した形態では、レンズ保持体４の当接部４ｇは、光軸方向において互いにずれている５個の当接面４ｂ〜４ｆによって構成され、レンズ保持体３の当接部３ｇは、当接面４ｂ〜４ｆのいずれか１つに当接する１個の当接面３ｆによって構成されている。この他にもたとえば、当接部３ｇが、光軸方向において互いにずれている複数の当接面によって構成されるとともに、当接部４ｇが、当接部３ｇを構成する複数の当接面のうちのいずれか１つに当接する１個の当接面によって構成されていても良い。この場合には、レンズ保持体３が第１レンズ保持体となり、レンズ保持体４が第２レンズ保持体となる。また、当接部３ｇが第１当接部となり、当接部３ｇを構成する複数の当接面が第１当接面となり、当接部４ｇが第２当接部となり、当接部４ｇを構成する１個の当接面が第２当接面となる。
【００５８】
また、上述した形態において、当接部３ｇが、光軸方向において互いにずれている複数の当接面によって構成されていても良い。この場合には、当接部３ｇを構成する複数の当接面のうちのいずれか１つと、当接部４ｇを構成する当接面４ｂ〜４ｆのうちのいずれか１つとが当接している状態で、レンズ保持体３とレンズ保持体４とが固定される。この場合であっても、上述した形態と同様に、レンズ鏡筒１の光学系の像面湾曲を補正することが可能であっても、レンズ鏡筒１の部品の管理が容易になるとともにレンズ鏡筒１の組立作業を簡素化することが可能になるといった効果を得ることができる。ただし、当接部３ｇが１個の当接面３ｆによって構成されていた方が、レンズ保持体３の構成を簡素化することが可能になる。
【００５９】
上述した形態では、レンズ保持体４に、レンズ２の周方向に配列される５個の凹部４ｋが形成され、レンズ保持体３に、５個の凹部４ｋのうちのいずれか１つと係合する１個の突起部３ｋが形成されているが、レンズ保持体３に、レンズ２の周方向に配列される５個の突起部３ｋが形成され、レンズ保持体４に、５個の突起部３ｋのうちのいずれか１つと係合する１個の凹部４ｋが形成されていても良い。この場合には、突起部３ｋは第１位置決め部であり、凹部４ｋは第２位置決め部である。
【００６０】
上述した形態では、当接部３ｇ、４ｇは、レンズ２の周方向において３箇所に形成されているが、当接部３ｇ、４ｇは、レンズ２の周方向において４箇所以上に形成されていても良い。また、当接部３ｇ、４ｇは、レンズ２の周方向において２箇所に形成されていても良い。また、上述した形態において、レンズ保持体３に対するレンズ保持体４の、レンズ２の周方向の位置を確認するための目印がレンズ保持体３に形成されていても良い。この目印は、たとえば、ベース部３ａの外周面や前面部３ｄの前面に形成される。
【符号の説明】
【００６１】
１  レンズ鏡筒
２  レンズ
３  レンズ保持体（第２レンズ保持体）
３ｆ  当接面（第２当接面）
３ｇ  当接部（第２当接部）
３ｊ  挿通穴
３ｋ  突起部（第２位置決め部）
４  レンズ保持体（第１レンズ保持体）
４ｂ  当接面（第１当接面、第４当接面）
４ｃ  当接面（第１当接面、第７当接面）
４ｄ  当接面（第１当接面、第５当接面）
４ｅ  当接面（第１当接面、第６当接面）
４ｆ  当接面（第１当接面、第３当接面）
４ｇ  当接部（第１当接部）
４ｊ  ネジ穴
４ｋ  凹部（第１位置決め部）
４ｐ  目印
５  ネジ
５ａ  軸部
Ｚ１  被写体側
Ｚ２  反被写体側
【図１】
0006704287.tif 000002
【図２】
0006704287.tif 000003
【図３】
0006704287.tif 000004
【図４】
0006704287.tif 000005
【図５】
0006704287.tif 000006